(57)【要約】      （修正有）【課題】ゴルフクラブヘッドの全体的な美観を改善するだけでなく、アイアンタイプのゴルフクラブの減衰特性を改善するマルチレベルバッジを備えたゴルフクラブヘッドを提供する。【解決手段】ゴルフクラブヘッドは、打撃フェース６０１の背面にポリマー材料６２０の薄いバッジを含む１つのレベル６１２で接触するマルチレベルバッジ６０４を有するアイアンタイプゴルフクラブヘッドであり、マルチレベルバッジは、ゴルフクラブヘッドのシャーシ６０２によって形成されたキャビティの背面に接触する。ゴルフクラブヘッドの打撃フェースとシャーシの背面との間に形成されたギャップは、振動減衰を実現する温度可変粘度を有する流体で満たされる。【選択図】図６
0003217059.tif 000002
【実用新案登録請求の範囲】
【請求項１】
ゴルフクラブヘッドであって、
上記ゴルフクラブヘッドの前方部分に配置された打撃フェース部と、
上記打撃フェース部の後方部分に結合され、開口を具備する後方キャビティを形成するシャーシであって、上記開口が上記打撃フェース部の背面表面へのアクセスを実現する、上記シャーシとを有し、
上記打撃フェース部の上記背面と上記シャーシのマッスル部の下側前方部分とがギャップおよび空洞を形成し、
上記ギャップは上記空洞の上に位置付けられ、上記空洞と結合され、温度可変粘性の流体が、少なくとも部分的に上記ギャップを満たし、上記流体は、上記打撃フェース部の上記背面および上記シャーシの上記マッスル部の上記下側前方部分と接触することを特徴とする、ゴルフクラブヘッド。
【請求項２】
上記流体は上記ギャップを充填することに加えて、上記空洞を少なくとも部分的に充填する、請求項１に記載のゴルフクラブヘッド。
【請求項３】
上記流体が１４８．９℃（３００°Ｆ）で４１２５ｃＰ（ｍＰａ・ｓ）の粘度を有し、１７６．７℃（３５０°Ｆ）で２０１０ｃＰ（ＭＰａ・ｓ）の粘度を有する、請求項１に記載のゴルフクラブヘッド。
【請求項４】
上記流体のループタックが１２７６ｇ（４５オンス）である、請求項３に記載のゴルフクラブヘッド。
【請求項５】
上記流体が０．３９３Ｋｇ／ｃｍ（２．２ポンド／インチ）の１８０度の剥離（６０秒／７５Ｆ、１ミル）を有する、請求項４に記載のゴルフクラブヘッド。
【請求項６】
上記流体が、２．０グラム〜８．０グラムの間の質量を有する、請求項１に記載のゴルフクラブヘッド。
【請求項７】
上記流体は、２．５グラム〜７．５グラムの間の質量を有する、請求項６に記載のゴルフクラブヘッド。
【請求項８】
上記流体が３．０グラム〜７．０グラムの間の質量を有する、請求項７に記載のゴルフクラブヘッド。
【請求項９】
上記ギャップは、１．０ｍｍ〜３．０ｍｍの間の距離を有する、請求項６に記載のゴルフクラブヘッド。
【請求項１０】
上記ギャップが１．５〜２．５ｍｍの距離を有する、請求項９に記載のゴルフクラブヘッド。
【請求項１１】
上記ギャップは、１．５ｍｍの間の距離を有する、請求項１０に記載のゴルフクラブヘッド。
【請求項１２】
上記流体が上記空洞を少なくとも部分的に充填する、請求項９に記載のゴルフクラブヘッド。
【請求項１３】
上記流体が上記ギャップと上記空洞を連続的に充填する、請求項１２に記載のゴルフクラブヘッド。
【請求項１４】
ゴルフクラブヘッドであって、
上記ゴルフクラブヘッドの前方部分に配置された打撃フェース部と、
上記打撃フェース部の後方部分に結合され、開口を具備する後方キャビティを形成するシャーシであって、上記開口が上記打撃フェース部の背面表面へのアクセスを実現する、上記シャーシとを有し、
上記打撃フェース部の上記背面と上記シャーシのマッスル部の下側前方部分とがギャップおよび空洞を形成し、
上記ギャップは上記空洞の上に位置付けられ、上記空洞と結合され、温度可変粘性の流体が、少なくとも部分的に上記ギャップおよび上記空洞を満たし、当該流体が上記ギャップおよび上記空洞を連結し、
上記流体が上記打撃フェース部の上記背面および上記シャーシの上記マッスル部の上記下側前方部分と接触することを特徴とする、ゴルフクラブヘッド。
【請求項１５】
上記ギャップは、１．０ｍｍ〜３．０ｍｍの間の距離を有する、請求項１４に記載のゴルフクラブヘッド。
【請求項１６】
上記ギャップが１．５〜２．５ｍｍの距離を有する、請求項１５に記載のゴルフクラブヘッド。
【請求項１７】
上記ギャップは、１．５ｍｍの間の距離を有する、請求項１６に記載のゴルフクラブヘッド。
【請求項１８】
上記流体が、２．０グラム〜８．０グラムの間の質量を有する、請求項１５に記載のゴルフクラブヘッド。
【請求項１９】
上記流体は、２．５グラム〜７．５グラムの間の質量を有する、請求項１８に記載のゴルフクラブヘッド。
【請求項２０】
上記流体が３．０グラム〜７．０グラムの間の質量を有する、請求項１９に記載のゴルフクラブヘッド。
【考案の詳細な説明】
【技術分野】
【０００１】
この考案は、全般的に、バッジを備えたアイアンゴルフクラブに関する。より具体的には、この考案は、ゴルフクラブヘッドを支持するアイアンタイプゴルフクラブヘッドの背面部分付近に位置付けられたするバッジを具備するアイアンタイプゴルフクラブヘッドを開示する。このアイアンタイプのゴルフクラブヘッドの背面のバッジは、一般的に、複数の異なる深さを作り出すマルチレベルのバッジを有し、インサートがゴルフクラブヘッドの背面外側表面に接触するだけでなく、打撃フェースの背面に接触することを可能にする。このマルチレベルバッジは、ゴルフクラブヘッドの全体的な美観を改善するだけでなく、アイアンタイプのゴルフクラブの減衰特性を改善する。
【背景技術】
【０００２】
ゴルフのゲームは、しばしば広範囲の様々な装備の使用を伴う。一般的に言えば、ゴルファーは、３つの主要なカテゴリー、すなわち、ウッド、アイアン、およびパターにおいて、複数の異なるタイプのクラブを有して良い。ゴルファーごとに、バッグ内の好みのタイプのゴルフクラブが異なる可能性があるけれども、ほとんどの人は、アイアンタイプのゴルフクラブがゴルフゲームにおいて重要な役割を果たすと言うであろう。
【０００３】
アイアンタイプのカテゴリーの中で、ゴルフクラブのタイプは、一般に、マッスルバックタイプのアイアンおよびキャビティバックタイプのアイアンの２つの主要なカテゴリーに分けられる。マッスルバックタイプのアイアンは、一般に、「マッスル部」と呼ばれる厚さの増加した部分を有する一体の金属片から形成されたゴルフクラブとして定義することができる。マッスルバックタイプのアイアンは、ゴルフの初期から存在しており、米国特許第２，００７，３７７号（Ｌｉｎｋ）は、マッスルバックアイアンの初期デザインを示す。他方、キャビティバックアイアンは、一般に、ゴルフクラブヘッドの背面付近に開口部を形成するゴルフクラブを指すといって良い。キャビティタイプアイアンは、一般的に、米国特許第４，８２６，１７２号（Ａｎｔｏｎｉｕｓ）に示されているように露出された開放キャビティを有して良いけれども、キャビティバックアイアンは、米国特許第５，７６６，０９２号（Ｍｉｎｅｕｒ等）に示されるように包囲された空間を構成する閉じた解放構造を含んでも良い。
【０００４】
より優れたゴルファーのための装備として、マッスルバックアイアンは依然として代表的な標準をなすけれども、キャビティバックアイアンの考案は、伝統的なマッスルバックアイアンに比べて大きな性能上の利点を実現する。まず、第一に、ゴルフクラブの後部から重りを取り除くことによって、ゴルフクラブヘッドの周辺端部付近に重量を置くことによって、ゴルフクラブヘッドの慣性モーメントを増加させることができる。キャビティバックアイアンは、慣性モーメントを増加させることに加えて、アイアンタイプのゴルフクラブヘッドの飛距離を増加させることによって、アイアンタイプのゴルフクラブヘッドの性能をさらに向上させることができる。一般に、ゴルフクラブは打撃フェースの反発係数を増加させることによってより大きな飛距離を達成することができ、キャビティバックアイアンは打撃フェースを薄くしてこれを実現できる。
【０００５】
キャビティバックアイアンは、ゴルフクラブヘッドの後部に開口を必要とし、これは美的には魅力的ではなく、このために、ゴルフクラブの設計者は、開口部のキャビティを充填するためにバッジを追加することによってその欠点を改善しようと試みた。米国特許第８，９２０，２６１号（Ｔａｙｌｏｒ等）は、その目的を達成するのに役立つバッジの試行の一例を示している。
【０００６】
さらに、キャビティバックアイアンの検討に焦点を当てると、ゴルフクラブの設計者は、これらのタイプのアイアンの性能を向上させるために、打撃時のフェースのより大きな撓みを可能にするために極めて薄いフェースを作成することをしばしば試みており、これは上述のとおりである。ゴルフボールとの衝突中にフェースの撓みが増加すると、一般に、ゴルフボールがより厚いフェース相当物よりも、遠く移動することを可能にし、それにより、キャビティバックアイアンタイプのゴルフクラブの性能を高める。米国特許第７，００８，３３１号（Ｃｈｅｎ）は、アイアンタイプのゴルフクラブヘッドの性能を向上させるために薄いフェースアイアンを試す初期の例の１つを示している。
【０００７】
ゴルフクラブの設計者は、より薄い材料が一般に厚い材料よりも耐久性が低いことを認識して、打撃フェース部の薄化に関連する耐久性の問題を打ち消そうと試みている。米国特許第８，９６１，３３６号（Ｐａｒｓｏｎｓ等）は、空間包囲のアイアンゴルフクラブヘッドの内部キャビティをポリマーで充填して、薄くされたフェースの構造的支持を提供することによって、この問題に対処する方法の一例を提供する。
【０００８】
アイアンタイプのゴルフクラブヘッドの性能を改善するためのすべての試みにもかかわらず、打撃フェースが当該分野におけるデザインのいずれも、打撃フェースの強度および靱性の増大する要求に対処するための美しく魅力的な方法を提供することができない。これは、キャビティタイプアイアンにおいて、とくに、フィラーの充填を可能にする中空の空洞を有しても良い、または有さなくても良い、キャビティタイプアイアンにおいて、性能を向上させるために打撃フェースがますます薄くなっているからである。
【先行技術文献】
【特許文献】
【０００９】
【特許文献１】米国特許第２，００７，３７７号明細書
【特許文献２】米国特許第４，８２６，１７２号明細書
【特許文献３】米国特許第５，７６６，０９２号明細書
【特許文献４】米国特許第８，９６１，３３６号明細書
【考案の概要】
【００１０】
この考案の１つの側面は、ゴルフクラブヘッドであって、当該ゴルフクラブヘッドの前面部分に位置決めされた打撃フェース部と、上記打撃フェース部の後方部分に結合され、開口を具備する背面キャビティを構成するシャーシとを有し、上記開口が上記打撃フェース部の背面表面へのアクセスを実現し、さらにマルチレベルバッジを有し、このマルチレベルバッジが、第１のレベルおよび第２のレベルを有し、当該マルチレベルバッジが上記キャビティに取り付けられる、ゴルフクラブヘッドである。シャーシの背面キャビティは、背面キャビティの周囲に少なくとも１つの支持タブをさらに有し、マルチレベルバッジの第１のレベルは、打撃フェース部の背面に実質的に接触し、第２のレベルは、支持タブの背面に実質的に接触する。
【００１１】
この考案の他の側面において、アイアンタイプゴルフクラブヘッドは、当該アイアンタイプゴルフクラブヘッドの正面部に位置決めされた打撃フェース部と、打撃フェース部の後方部分に結合され、開口を具備する背面キャビティを形成するシャーシとを有し、上記開口は上記打撃フェース部の背面表面へのアクセスを実現し、さらに、マルチレベルバッジを有し、このマルチレベルバッジは、第１のレベルおよび第２のレベルをさらに有し、当該マルチレベルバッジは上記背面キャビティに取り付けられ、マルチレベルバッジの第１のレベルは打撃フェース部の背面表面に実質的に接触し、第２のレベルは上記キャビティの背面表面に実質的に接触し、マルチレベルバッジはゴルフボールとの衝撃時に、圧縮力のみを受ける。
【００１２】
この考案の他の側面では、打撃フェースの背面表面およびシャーシのマッスル部分の下側前面部分がギャップおよび空洞を形成し、温度可変粘度を有する流体が、少なくとも部分的に、ギャップを満たし、上記打撃フェースの上記背面表面および上記シャーシのマッスル部分の下側前面部分に接触する。
【００１３】
この考案の別の側面では、温度可変粘度を有する流体は、ギャップと空洞と少なくとも部分的に満たし、ギャップおよび空洞を連結する。
【００１４】
この考案のこれらの、または他の特徴、側面、および利点は以下の図面、説明および実用新案登録請求の範囲を参照して理解されるであろう。
【図面の簡単な説明】
【００１５】
この考案の、先の、または他の特徴および利点は、添付図面において図説される、この考案の以下の説明から明らかであろう。添付図面はここに組み入れて明細書の一部を構成し、この考案の原理を説明するのに役立ち、同業者がこの考案を実施することを可能にする。
【００１６】
【図１】この考案の例示的な実施例によるゴルフクラブヘッドの背面斜視図を示す。
【図２】この考案の例示的な実施例によるゴルフクラブヘッドの分解斜視図である。
【図３】この考案の例示的な実施例によるマルチレベルバッジの拡大後面図を示す。
【図４】この考案の例示的な実施例によるマルチレベルバッジの拡大正面図である。
【図５】この考案の例示的な実施例によるゴルフクラブヘッドの正面図であり、断面線Ａ−Ａ'をより明瞭に示す。
【図６】図５に示す断面線Ａ−Ａ'に沿った、この考案の例示的な実施例によるゴルフクラブヘッドの断面図である。
【図７】図５に示す断面線Ａ−Ａ'に沿った、この考案の例示的な実施例によるゴルフクラブヘッドのシャーシの断面図である。
【図８】図５に示す断面線Ａ−Ａ'に沿った、この考案の例示的な実施例によるマルチレベルバッジの断面図である。
【図９】この考案の代替的な実施例によるゴルフクラブヘッドの分解斜視図である。
【図１０】この考案の代替的な実施例によるゴルフクラブヘッドの別の分解斜視図である。
【図１１】図５に示す断面線Ａ−Ａ'に沿った、この考案の代替的な実施例によるゴルフクラブヘッドの断面図である。
【図１２】図５に示す断面線Ａ−Ａ'に沿った、この考案の代替的な実施例によるゴルフクラブヘッドの断面図である。
【考案を実施するための形態】
【００１７】
以下の詳細な説明は、この考案を現状で最も良く考えられた態様で実現するものである。この記載は限定的な意図で把握されるのでなく、単に、この考案の全体的な原理を説明する目的でなされ、この考案の範囲は添付の実用新案登録請求の範囲の記載により最も良く規定される。
【００１８】
以下の説明される種々の考案の特徴は、各々、相互に独立して採用でき、また他の特徴と組みあわされて採用できる。ただし、いずれの１つの考案の特徴も上述した問題のいずれかまたはすべてに対処するものでなくともよく、上述した問題の１つに対処するものであってもよい。さらに上述の問題の１つまたはそれ以上が以下で説明されるいずれの特徴によっても充分に対処されなくとも良い。
【００１９】
添付図面の図１は、この考案の事例的な実施例に従うゴルフクラブヘッド１００の斜視図を示す。図１に示すように、ここに示されるタイプのアイアンタイプのゴルフクラブヘッド１００は、ゴルフクラブヘッド１００のシャーシ１０２の後部にキャビティ１０３を有するキャビティバックタイプのアイアンである。キャビティ１０３は、この考案の当該実施例において示され、一般に、空洞１０３に取り付けられたマルチレベルのバッジ１０４で覆って良い。添付の図面の図１は、マルチレベルのバッジ１０４に加えて、ゴルフクラブヘッド１００を完成させるための、全体的なキャビティ１０３の内部に嵌合するために使用される追加の構成要素も示している。ここで図１に示される中央キャビティバッジ１０６は、追加の構成要素の１つを示し、中央キャビティバッジ１０６は、マルチレベルバッジ１０４自体に形成された内部開口部１０５内に収まるように設計され、成形されている。最後に、図１に示すゴルフクラブヘッド１００は、マルチレベルバッジ１０４の外面に取り付けられてゴルフクラブヘッド１００を完成させる外側バッジ１０８を示す。この考案のこの実施例に示すマルチレベルバッジ１０４を組み込むと、美しく魅力的なバッジにより開放キャビティ１０３をカバーすることができ、同時に、この考案の範囲および内容から逸脱することなく付加的なバッジを取り付けるシャーシを実現する。
【００２０】
添付の図面の図２は、この考案の例示的な実施例によるゴルフクラブヘッド２００の分解斜視図を示し、図１において参照した様々な構成要素の間の関係をより明瞭に示す。まず、第一に、ゴルフクラブヘッド２００のシャーシ２０２は、打撃フェース部２０１とは別個に形成されていてもよいことは、図２から理解できる。本実施例に示す打撃フェース部２０１は、一般に、ゴルフボールによる強い衝撃に耐えるために、スチールタイプの材料から形成されて良いけれども、この考案の代替的な実施例では、打撃フェース部２０１は、この考案の範囲および内容から逸脱することなく、チタンのような代替的な高強度材料から製造されても良い。上述に加えて、打撃フェース２０１は、ゴルフクラブヘッド２００の本体のシャーシ２０２のソールカットアウトに対応する、打撃フェース２０１の底部近くに、ソールタブ２１０を一般に含み得ることに注目することは重要である。ソールタブ２１０は、一般に、打撃フェース２０１がゴルフクラブヘッド２００のシャーシ２０２とは異なる材料で作られている場合に有益であろう。これは、ソールタブ２１０は、ゴルフボールとの衝突中に生じる高い応力の領域から溶接ラインをはずすことを可能にするからである。
【００２１】
図２は、また、シャーシ２０２の後部にキャビティ２０３を有するゴルフクラブヘッドの当該シャーシ２０２を示し、これがキャビティタイプアイアンを形成する。ゴルフクラブヘッド２００の分解図は、キャビティ２０３に加えて、キャビティ２０３内の内部開口部２０５を示しており、内部開口部２０５は打撃フェース２０１の背面に接している。この開口はこの考案にとって重要である。なぜなら、マルチレベルバッジ２０４が内部開口部２０５を介して打撃フェース２０１と接触することを可能にし、ゴルフクラブヘッド２００のための構造的支持を実現することを可能にする。図２に示すマルチレベルバッジ２０４は、内部開口部２０５のサイズおよび形状に対応する二次キャビティ２０７を有し、もって、内部開口部２０５とマルチレベルバッジ２０４との係合を容易にするだけでなく、追加の中央キャビティバッジ２０６をマルチレベルバッジ２０４の後ろに配置する。図２に示す中央キャビティバッジ２０６を追加することにより、ゴルフクラブヘッド２００自体に美的な複雑構成の付加的なバッジを形成する。最後に、ゴルフクラブヘッド２００の分解図は、マルチレベルバッジ２０４の周囲に取り付けられた外部バッジ２０８を示している。
【００２２】
添付図面の図３は、マルチレベルバッジ３０４の拡大背面斜視図を示し、ゴルフクラブヘッドのこの非常に重要な部分をより詳細に示すことを可能にする。前述したように、マルチレベルバッジ３０４の後方斜視図は、マルチレベルバッジ３０４のマルチレベルアスペクトを生成する二次キャビティ３０７を含む。しかしながら、多次元およびマルチレベルアスペクトを真に理解するためにはマルチレベルバッジ３０４の拡大正面斜視図が必要である。
【００２３】
添付図面の図４は、この考案の例示的な実施例によるマルチレベルバッジ４０４の正面斜視図を示す。この正面斜視図では、２つの異なる「レベル」が識別され、後に示すゴルフクラブヘッドの断面図において重要であろう。まず、第一に、マルチレベルバッジ４０４は、組み立てられた状態で、打撃フェース２０１（図２に示す）と接触する面となる第１のレベル４１２を有することが分かる。第１のレベル４１２に加えて、マルチレベルバッジ４０４のこの正面斜視図は、組み立てられた状態で、ゴルフクラブヘッドのシャーシの背面の後方に対面する表面に接触する第２のレベル４１４も示す。換言すると、マルチレベルバッジ４０４の第２のレベル４１４は、マルチレベルバッジ４０４の第１のレベル４１２を周回するように包囲し、マルチレベルバッジ４０４の中央部分の近くに窪みまたは二次キャビティ３０７（図３参照）を形成する。
【００２４】
様々な構成要素の関係をさらに明確に理解するために、ゴルフクラブヘッドの断面図は非常に有益である。ただし、ゴルフクラブヘッドの断面図を導入する前に、図５は、断面図Ａ−Ａ'を示すようにゴルフクラブヘッド５００の正面図を示す。ここで、図５において、断面線Ａ−Ａ'は、スコアラインを二等分するゴルフクラブヘッドの中心を通って、ゴルフクラブヘッドを２分割するように示されている。
【００２５】
添付図面の図６は、図５に示す断面線Ａ−Ａ'に沿ったゴルフクラブヘッド６００の断面図を示す。ゴルフクラブヘッド６００の断面図により、構成要素間の様々な関係をより明確に示すことができる。この断面図では、打撃フェース部６０１がゴルフクラブヘッド６００の正面部分に位置し、打撃フェース部６０１が当該打撃フェース部６０１のソール部分から後方に延びるソールタブ６１０を有することが分かる。打撃フェース部６０１の周囲の後方には、ゴルフクラブヘッド６００のシャーシ６０２があり、当該シャーシ６０２が、トプラインの一部およびソールの一部を実現。シャーシ６０２は、ゴルフクラブヘッド６００の付加的な外装部品を形成すことに加えて、マルチレベルバッジ６０４がゴルフクラブヘッド６００の複数の表面に係合することを可能にする開口部２０５（図２参照）を有するキャビティ２０３を形成する。
【００２６】
この考案のこの実施例では、マルチレベルバッジ６０４の第１のレベル６１２は、ゴルフクラブヘッド６００の正面部分に位置し、打撃フェース部６０１の背面に係合し、もって、ゴルフボールとの衝突による過酷な作用の吸収および減衰を支援する。ここで、マルチレベルバッジ６０４の第１のレベル６１２および打撃フェース部６０１の背面は、約１．５ｍｍ未満、より好ましくは約１．２５ｍｍ未満、最も好ましくは約１．０ｍｍ未満の厚さを有するポリマー材料６２０の薄いバッジをさらに含み得ることに留意すべきである。この考案のこの実施例におけるポリマー材料６２０は、一般に、打撃フェース部６０１の背面とマルチレベルバッジ６０４の第１のレベル６１２との間に結合を形成する接着特性を有して良い。ポリマー材料６２０は、上述の接着特性の付与に加えて、一般的に、ゴルフクラブヘッド６００の全体に関して所定の振動吸収および構造の一体性を実現して良い。最後に、この考案の代替的な実施例では、ポリマー材料６２０は、ゴルフクラブヘッド６００の開口部２０５を利用してマルチレベルバッジ６０４を打撃フェース部６０１に取り付けるのを支援するグロメット型取り付け機構であっても良い。この実施例におけるマルチレベルバッジ６０４の第２のレベル６１４は、ここでは、より後方に位置付けられる、マルチレベルバッジ６０４の前方に対面するレベルとして示されている。この実施例における第２のレベル６１４は、シャーシ６０２上のキャビティ２０３（図２参照）の後方に面する表面と全体的に係合して、マルチレベルバッジ６０４の第１のレベル６１２が受ける衝撃力を分散させ、散逸させるのを支援する。
【００２７】
マルチレベルバッジ６０４の種々のレベルは、この考案にとって非常に重要であり、ここでそれをより詳細に検討する価値がある。まず、第一に、第１のレベル６１２および第２のレベル６１４によって生成される関係が、衝撃力の応力が完全に独特の方法で散逸されることを認識することが重要である。より具体的には、この考案は、第１のレベル６１２および第２のレベル６１４の両方の前方表面でマルチレベルバッジ６０４を接触させることによって、マルチレベルバッジ６０４に対する圧縮力を除去し、マルチレベルバッジ６０４上の引っ張り力を利用する。この実施例では、ゴルフクラブヘッド６００のシャーシ６０２の後部に追加の圧力を加えることなく衝撃力を分散させるので、マルチレベルバッジ６０４の引張力が圧縮力よりも好ましい。
【００２８】
マルチレベルバッジ６０４によって達成されるユニークな力分布の結果として、添付図面の図６は、マルチレベルバッジ６０４の他の特異な特徴も示す。より具体的には、この考案に従うマルチレベルバッジ６０４は、一般に、第１のレベル６１２および第２のレベル６１４を、ゴルフクラブヘッド６００のキャビティ２０３（図２参照）内の２またはそれ以上の種々の深さで、２つの異なる表面に接触させて良い。この実施例において、第１のレベル６１２の深さは、完全に窪んでおり、第２のレベル６１４の深さによって取り囲まれており、マルチレベルバッジ６０４が異なる深さでゴルフクラブヘッド６００に接触することを可能にする独自のマルチレベルバッジ６０４を形成する。
【００２９】
上述した様々な寸法を示すのを支援するために、シャーシ７０２およびマルチレベルバッジ８０４は、図７および図８にそれぞれ示されるそれらの断面図によって分離されている。まず、添付の図面の図７は、ゴルフクラブヘッド７００のシャーシ７０２を打撃フェース部７０１と共に示す断面図を示している。打撃フェースは、ゴルフクラブヘッド７００のシャーシ７０２によって形成されたキャビティ７０３から最も離れて配置され、第１の深さｄ１の第１のキャビティ深さを形成する。シャーシ７０２の後部の支持タブ７１５は、第２のキャビティ深さｄ２を形成する。１つ以上の支持タブ７１５は、上述のマルチレベルバッジの上述の第２のレベルが上述のシャーシに接触する表面を実現する。この考案のこの実施例では、マルチレベルバッジ７０４は、ゴルフクラブヘッド７００のトップ部分付近で、第２キャビティ深さｄ２においてゴルフクラブヘッド７００に接触するけれども、ゴルフクラブヘッド７００の底部ソール部分の近くの先に述べた第２のキャビティ深さｄ２においてゴルフクラブヘッド７００へと戻って接触する前に、ゴルフクラブヘッド７００の中央部分の近くで、第１のキャビティ深さｄ１でゴルフクラブヘッド７００と接触する。この考案の当該実施例において、ｄ１は常にｄ２より大きく、ｄ１は一般に約３．０ｍｍより大きく、より好ましくは約３．２５ｍｍより大きく、最も好ましくは約３．５ｍｍより大きくて良い。他方、ｄ２は、この考案の範囲および内容から逸脱することなく、一般に、約２．５ｍｍ未満、より好ましくは約２．２５ｍｍ未満、最も好ましくは約２．０ｍｍ未満であって良い。
【００３０】
添付図面の図８は、この考案の例示的な実施例によるマルチレベルバッジ８０４の断面図を示す。マルチレベルバッジ８０４のこの拡大断面図は、マルチレベルバッジ（マルチ材料バッジ）８０４の厚さが、マルチレベルバッジ８０４の大部分についてｄ３の厚さであることを示し、マルチレベルバッジ８０４の特定の部分は、外側のバッジを収容するためにｄ４の材料厚さを減少させている。この現行の例示的な実施例に示される厚さｄ３は、一般に、約０．８ｍｍ〜約１．２ｍｍ、より好ましくは約０．９ｍｍ〜約１．１ｍｍ、最も好ましくは約１．０ｍｍであって良い。この現行の例示的な実施例におけるマルチレベルバッジ８０４の減少した材料厚さｄ４は、一般に、約０．９ｍｍ未満、より好ましくは約０．８ｍｍ未満、最も好ましくは約０．７５ｍｍ未満であって良く、これはこの考案の範囲および内容から逸脱しない。
【００３１】
添付図面の図８は、また、材料の厚さを示すことに加えて、マルチレベルバッジ８０４の２つの異なるレベルにある第１のレベル８１２および第２のレベル８１４を示す。異なるレベルにある２つのバッジに加えて、第１のレベル８１２と第２のレベル８１４の相対的な角度を角度θ１で識別するのを支援するために使用することができる。この考案の現行の例示的な実施例におけるθ１は、一般に、約０°?約２０°、より好ましくは約０°〜約１０°、最も好ましくは約０°〜約５°であって良い。
【００３２】
添付図面の図９は、この考案の代替的な実施例によるゴルフクラブヘッド９００の分解斜視図を示す。この分解斜視図では、ゴルフクラブヘッド９００の個々の構成要素は、より明確に示され、各構成要素の間の関係を説明する。上述の検討と同様に、ゴルフクラブヘッド９００は、シャーシ２０２の正面部分に取り付けられたソールタブ９１０を有する打撃フェース部９０１などの基本構成要素を有して良い。シャーシ９０２は、第１のバッジ９０４および第２の内部バッジ９０６のようなゴルフクラブヘッド９００の後部の構成要素に露出する打撃フェース部９０１の前面に取り付けられて良い。一般に、ポリマー材料９２０は、第１のバッジ９０４の前面表面に取り付けられて良く、ポリマー材料９２０は、バッジ９０４を容易に取り付けることを可能にする接着特性を有する。
【００３３】
上述の部品に加えて、図９に示される、ゴルフクラブヘッドの分解斜視図は、また、温度可変粘性の流体９２２を、それが、シャーシ９０２の底部で空洞（図１０において符号１０２４で後に示される）を満たす状態で示すことができる。この位置に温度可変粘性の流体９２２を配置することにより、当該温度可変粘性の流体９２２を打撃フェース部９０１の背面に接触させ、振動減衰を実現し、ゴルフクラブヘッド９００の音を改善する。温度可変粘度を有する流体９２２は、ギャップを充填することに加えて、打撃フェース部９０１およびシャーシ９０２の前面表面の間の空で気を満たす。シャーシ９０２によって形成された空洞１０２４（図１０に示されている）を示すために、図１０には、正面から見た分解斜視図が示されている。
【００３４】
添付図面の図１０は、この考案の代替的な実施例によるゴルフクラブヘッド１０００の正面分解図を示す。より具体的には、図１０に示すゴルフクラブヘッド１０００の分解図によれば、シャーシ１００２内の空洞１０２４をより明確に示すことができる。シャーシ１００２の内部を示すことにより、温度可変粘度を有する流体１０２２の物理的境界をより明確に示すことができる。したがって、温度可変粘性を有する流体１０２２が内部開口１００５を介して打撃フェース部１００１の後部に導入されるので、温度可変粘性を有する流体１０２２の粘性特性により、流体１０２２がシャーシ１００２の内部の形状に実質的に適合化される。ここで示される、この考案の１つの例示的な実施例では、流体１０２２の重量は約２．０グラム〜約８．０グラム、より好ましくは約２．５グラム〜約７．５グラム、最も好ましくは、全て約３．０グラム〜約７．０グラムであり、これはこの考案の範囲および内容から逸脱しない。
【００３５】
図９および図１０は、シャーシ１００２によって形成された空洞１０２４と同一の形状をとる温度可変粘性の流体９２２および１０２２を示しているが、温度可変粘度を有する流体１０２２の実際の形状は、実際の流体１０２２の流れ特性に応じて、若干、異なって良い。この考案の１つの実施例では、温度および粘度によって、流体１０２２の位置がよりトウ側に偏る可能性があり、一方、別の実施例では、温度および粘度によって、流体１０２２の位置が、ほりヒール側に偏って良く、これはこの考案の範囲および内容から逸脱しない。ここで、流体１０２２の実際の形状にかかわらず、流体１０２２の一部は、打撃フェース部１００１およびシャーシ１００２の正面部分によって形成されるギャップの近くに留まることが重要であることに留意すべきである。このギャップにより、振動減衰効果を実現し、それによりゴルフボールに衝突するときのゴルフクラブヘッド１０００の不快な音と感触を最小限にする。
【００３６】
この考案のこの好ましい実施例で使用される温度可変粘度を有する流体１０２２は、一般に、異なる温度で異なるように設計された感圧接着剤であって良い。より具体的には、この実施例における流体１０２２は、Ｈ．Ｂ．Ｆｕｌｌｅｒから入手できる、部品番号ＨＬ−２８１４のホットメルトタイプの材料であって良い。流体１０２２の温度可変粘度は、１４８．９℃（３００°Ｆ）で４１２５ｃＰ（ｍＰａ・ｓ）の粘度および１７６．７℃（３５０°Ｆ）で２０１０ｃＰ（ｍＰａ・ｓ）の粘度を有するものとしてより具体的に定義することができる。様々な温度で可変粘度を有することにより、流体１０２２は、流体が著しい振動を経験するゴルフクラブヘッド１０００内の位置に到達することを可能にし、音と感触の問題に対処するのに役立つ異なる特性をとることができる。粘度数値に加えて、好ましい流体１０２２が１２７６ｇ（４５オンス）のループタックを有し、１８０度の剥離（６０秒／７５Ｆ、１ミル）が０．３９３Ｋｇ／ｃｍ（２．２ポンド／インチ）であることを認識することも価値がある。これらの特性は、流体１０２２の粘着性と、それが打撃フェース部１００１の背面にどのように付着するかを識別するのに役立つ。
【００３７】
この考案のこの代替的な実施例に示される様々な構成要素間の特定の関係を示すために、図１１において、ゴルフクラブヘッド１１００の断面図が示されている。添付の図面の図１１は、この考案の代替的な実施例の、図５に示す断面線Ａ−Ａ'に沿った断面図である。ゴルフクラブヘッド１１００の断面図は、シャーシ１１０２の裏側から内部開口部１１０５を通って充填された流体１１２２を示す。流体１１２２は、重力を介して下方に流れて、打撃フェース部１１０１の背面とシャーシ１１０２の前側下部との間に形成されたギャップ１１２６を介して、シャーシ１１０２の下側部分で、空洞１１２４を満たす。このギャップ１１２６は、一般に、約１．０ｍｍ〜約３．０ｍ、好ましくは約１．５ｍｍ〜約２．５ｍｍ、最も好ましくは約１．５ｍｍの小さな距離ｄ５を有して良い。
【００３８】
上述したようにギャップ１１２６の距離ｄ５を小さい距離にすることは、この考案の機能を適切に実現するうえで重要である。なぜならば、ギャップ１１２６の距離を十分に小さくして、温度可変粘度を有する流体１１２２が打撃フェース部に対して十分にサポートを実現して、それに加えて、シャーシ１１０２のソールマッスル部分の前面表面と接触するようにするからである。これに加えて、ギャップ１１２６は、また、流体１０２２がギャップ１１２６を通って流れ、ゴルフクラブヘッド１１００の底部の空洞１０２４に達することを可能にするのに十分な大きさである必要がある。このギャップ１１２６の距離ｄ５は、流体１１２２が打撃フェース部１１０１とシャーシ１１０２との間に挟まれたままであることを可能にするだけでなく、温度可変粘性流体１１２２を下部空洞１１２４部分に流すことを可能にし、これはこの考案の範囲および内容から逸脱しない。
【００３９】
添付図面の図１２は、この考案の代替的な実施例によるゴルフクラブヘッド１２００の断面図を示す。この実施例では、流体１２２２は、ゴルフクラブヘッド１２００のギャップ１１２６部分のみを充填し、空洞１２２４部分を充填しないことが分かる。この考案のこの実施例は、より少ない流体１２２２しか必要でなく、ギャップ１２２６における流体１２２２の濃縮が、追加の流体１２２２を添加することなく、所望の振動減衰をもたらす状況において好ましい場合がある。
【００４０】
作業例における他の事柄、または、とくに明言しなくとも、すべての数値範囲、量、値、百分率、例えば材料の量、慣性モーメント、重心位置、ロフト、ドラフト角、種々の性能比についてのこれら、および明細書中の他のものは、たとえ、その値、量または範囲に関連して用語「約」が表示されていなくとも、「約」がその前に配置されているように読むことができる。したがって、そうでないと示されていない限り、明細書および実用新案登録請求の範囲に表される数のパラメータは近似的であり、これは、この考案により得られることが企図される所望の特性に応じて変化する。最低限でも、もちろん均等論の適用を制約するものではないが、各数のパラメータは記録されている有効数字の数や通常の丸め処理に照らして解釈されるべきである。
【００４１】
この考案の広範な範囲を示す数的範囲およびパラメータは近似的であるけれども、具体例において示された数値は可能な限り正確に記録した。任意の数値は、それでも、それぞれのテスト計測に見いだされる標準偏差に必然的に起因する誤差を含む。さらに、種々のスコープの数値範囲が示される場合には、例示された値を含めた値の任意の組み合わせが利用できると理解されたい。
【００４２】
もちろん、先のものはこの考案の事例の実施例に関するものであり、実用新案登録請求の範囲に記載されたこの考案の趣旨および範囲から逸脱しない範囲で修正を行うことができることに留意されたい。
【符号の説明】
【００４３】
１００    ゴルフクラブヘッド
１０２    シャーシ
１０３    キャビティ
１０４    マルチレベルバッジ
１０５    内部開口部
１０６    中央キャビティバッジ
１０８    外側バッジ
２００    ゴルフクラブヘッド
２０１    打撃フェース部
２０２    シャーシ
２０３    キャビティ
２０４    マルチレベルバッジ
２０５    内部開口部
２０６    中央キャビティバッジ
２０７    二次キャビティ
２０８    外部バッジ
２１０    ソールタブ
３０４    マルチレベルバッジ
３０７    二次キャビティ
４０４    マルチレベルバッジ
４１２    第１のレベル
４１４    第２のレベル
５００    ゴルフクラブヘッド
６００    ゴルフクラブヘッド
６０１    打撃フェース部
６０２    シャーシ
６０４    マルチレベルバッジ
６１０    ソールタブ
６１２    第１のレベル
６１４    第２のレベル
６２０    ポリマー材料
７００    ゴルフクラブヘッド
７０１    打撃フェース部
７０２    シャーシ
７０３    キャビティ
７０４    マルチレベルバッジ
７１５    支持タブ
８０４    マルチレベルバッジ
８１２    第１のレベル
８１４    第２のレベル
９００    ゴルフクラブヘッド
９０１    打撃フェース部
９０２    シャーシ
９０４    第１のバッジ
９０６    第２の内部バッジ
９１０    ソールタブ
９２０    ポリマー材料
９２２    流体
１０００    ゴルフクラブヘッド
１００１    打撃フェース部
１００２    シャーシ
１００５    内部開口
１０２２    流体
１０２４    空洞
１１００    ゴルフクラブヘッド
１１０１    打撃フェース部
１１０２    シャーシ
１１０５    内部開口部
１１２２    流体
１１２４    空洞
１１２６    ギャップ
１２００    ゴルフクラブヘッド
１２２２    流体
１２２４    空洞
１２２６    ギャップ
【図１】
0003217059.tif 000003
【図２】
0003217059.tif 000004
【図３】
0003217059.tif 000005
【図４】
0003217059.tif 000006
【図５】
0003217059.tif 000007
【図６】
0003217059.tif 000008
【図７】
0003217059.tif 000009
【図８】
0003217059.tif 000010
【図９】
0003217059.tif 000011
【図１０】
0003217059.tif 000012
【図１１】
0003217059.tif 000013
【図１２】
0003217059.tif 000014